(57)【要約】      （修正有）【課題】主としてセールスマンから顧客に配布される商品やサービス説明パンフレット等の定型的書類のファイルを、後の説明等で迅速確実に取出し易いようにする。【解決手段】背１ｃを中心に矩形状の表裏の表紙１ａ，１ｂを折畳み開閉可能に連接したファイル本体１の少なくとも背１ｃの内面側を合成樹脂面とし、該背１ｃの内面側に、書類等の差込用開口部２ａ付で透明な合成樹脂フィルム製の複数の袋状のシート２を重ねて背の方向に沿って固着し、各シート２を手捲り可能に備えた書類入れ用ファイルにおいて、各シート２に表面側から透視でき、各シート２と他のシート２を識別させる表示部６を印刷表示したものである。上記シート２にはポリプロピレンＰＰフィルムが使用され、表示部６は後に摩擦等で剥離しないように、各シート２の袋の内面に印刷してなる。【選択図】図１
0003139131.tif 000002
【実用新案登録請求の範囲】
【請求項１】
背（１ｃ）を中心に矩形状の表裏の表紙（１ａ），（１ｂ）を折畳み開閉可能に連接したファイル本体（１）の少なくとも背（１ｃ）の内面側を合成樹脂面とし、該背（１ｃ）の内面側に、書類等の差込用開口部（２ａ）付で透明な合成樹脂フィルム製の複数の袋状のシート（２）を重ねて背の方向に沿って固着し、各シート（２）を手捲り可能に備えた書類入れ用ファイルにおいて、各シート（２）に表面側から透視でき、各シート（２）と他のシート（２）を識別させる表示部（６）を印刷表示した書類入れ用ファイル。
【請求項２】
シート（２）がポリプロピレン（ＰＰ）フィルムである請求項１の書類入れ用ファイル。
【請求項３】
表示部（６）を各シート（２）の袋の内面に印刷してなる請求項２の書類入れ用ファイル。
【請求項４】
表示部（６）がシート材の印刷面のコロナ放電処理その他の前処理を施さないで行われた請求項２又は３の書類入れ用ファイル。
【請求項５】
各表示部（６）を色分け表示して各シート（２）を他のシート（２）と識別可能にした請求項１，２，３又は４の書類入れ用ファイル。
【請求項６】
表示部（６）が各矩形状のシート（２）の上端又は開閉端側に表示された請求項１，２，３，４又は５の書類入れ用ファイル。
【請求項７】
表示部（６）が各シート（２）のページ又は葉数の順序を表わす数字からなる請求項１，２，３，４，５又は６の書類入れ用ファイル。
【請求項８】
表示部（６）が各シート（２）のページ順又は葉数順を順次表示するように、矩形状のシート（２）の上端縁又は開閉端縁に表示位置をずらして整列表示された請求項７の書類入れ用ファイル。
【請求項９】
各シート（２）の開口部（２ａ）の端部周縁に沿って表面側から透視でき各シート（２）を他のシート（２）と識別させる線状又は帯状の表示部（６ｃ）を印刷表示した請求項１，２，３，４，５，６，７又は８の書類入れ用ファイル。
【請求項１０】
開口部（２ａ）が各シート（２）におけるファイル本体（１）の背（１ｃ）の内面側のシート固着部（２ｂ）側の端部に設けられ、各シート（２）の開閉端をシート材を折曲端とし、各シート（２）の上下端をシール固着して袋状にした請求項２，３，４，５，６，７，８又は９の書類入れ用ファイル。
【請求項１１】
各シート（２）の表裏両面に袋状部を設け、表裏の中間に介在するシート材（２ｄ）と表裏各側のシート材（２ｅ），（２ｆ）との手捲り開閉端側をシール固着した請求項１０の書類入れ用ファイル。
【考案の詳細な説明】
【技術分野】
【０００１】
この考案は書類入れ用ファイルに関する。特に保険営業や金融商品の営業、自動車のセールス等セールスする人や事業主と顧客との間に事前通知の義務や変動事項の通知又は告知等の権利義務が発生する事案又はコンプライアンス等に関する比較的定型的な書面を顧客別に保存するのに適した書類入れ用ファイルに関する。
【背景技術】
【０００２】
従来上記のような顧客に手渡して保存して貰う書類入れ用ファイルは、厚いビニール加工等の表紙の内側に多数の透明な袋状のシートが綴じ込まれており、袋状の開口部より書類を差込んで手渡すの一般的であり、各種営業の担当者等には専用のファイルが手渡されている。
【考案の開示】
【考案が解決しようとする課題】
【０００３】
しかし従来のファイルは透明な袋状シートに営業担当者等が順序良く書類を収納して手渡すものの、電話等による遠隔地の顧客からの問合せや担当者からの情報提供時には、顧客側がファイル中の必要な書類を迅速に取出すことができず、必要なコミュニケーションが十分に図れないという問題があった。
【０００４】
また袋状の透明シート材としては機能性及びコスト面がポリプロピレン（ＰＰ）の使用が望ましいが、ＰＰはそのままでは印刷の定着性が乏しいために、袋状のものの表面等にはコロナ放電加工等による印刷面の前処理が必要である等の問題がある。
【課題を解決するための手段】
【０００５】
上記課題を解決するため本考案のファイルは、第１に、背１ｃを中心に矩形状の表裏の表紙１ａ，１ｂを折畳み開閉可能に連接したファイル本体１の少なくとも背１ｃの内面側を合成樹脂面とし、該背１ｃの内面側に、書類等の差込用開口部２ａ付で透明な合成樹脂フィルム製の複数の袋状のシート２を重ねて背の方向に沿って固着し、各シート２を手捲り可能に備えた書類入れ用ファイルにおいて、各シート２に表面側から透視でき、各シート２と他のシート２を識別させる表示部６を印刷表示したことを特徴としている。
【０００６】
第２に、シート２がポリプロピレンＰＰフィルムであることを特徴としている。
【０００７】
第３に、表示部６を各シート２の袋の内面に印刷してなることを特徴としている。
【０００８】
第４に、表示部６がシート材の印刷面のコロナ放電処理その他の前処理を施さないで行われたことを特徴としている。
【０００９】
第５に、各表示部６を色分け表示して各シート２を他のシート２と識別可能にしたことを特徴としている。
【００１０】
第６に、表示部６が各矩形状のシート２の上端又は開閉端側に表示されたことを特徴としている。
【００１１】
第７に、表示部６が各シート２のページ又は葉数の順序を表わす数字からなることを特徴としている。
【００１２】
第８に、表示部６が各シート２のページ順又は葉数順を順次表示するように、矩形状のシート２の上端縁又は開閉端縁に表示位置をずらして整列表示されたことを特徴としている。
【００１３】
第９に、各シート２の開口部２ａの端部周縁に沿って表面側から透視でき各シート２を他のシート２と識別させる線状又は帯状の表示部６ｃを印刷表示したことを特徴としている。
【００１４】
第１０に、開口部２ａが各シート２におけるファイル本体１の背１ｃの内面側のシート固着部２ｂ側の端部に設けられ、各シート２の開閉端をシート材を折曲端とし、各シート２の上下端をシール固着して袋状にしたことを特徴としている。
【００１５】
第１１に、各シート２の表裏両面に袋状部を設け、表裏の中間に介在するシート材２ｄと表裏各側のシート材２ｅ，２ｆとの手捲り開閉端側をシール固着したことを特徴としている。
【考案の効果】
【００１６】
上記のように構成される本考案によれば、袋状シートの各葉毎に識別可能な表示部をもっているため、特定の袋状シートに特定の書類を収納して顧客等に保管させることにより、電話その他の遠隔地間での説明に際しても、容易に必要な書類を表示によって判別でき、必要時に迅速確実に取出して、正確なコミュニケーションを図ることができる。
【００１７】
その際、袋状シートの内面の表示部に印刷を施すことにより、表面に印刷した場合より印刷の耐久性があり、ＰＰ材等を用いても表面の前処理を施す必要がなく、機能性やコスト面等で便利である。
【００１８】
また表示部は色分けや数字による順序表示灯で統一的な表示や特定書類の収納場所の確認ができるし、特定の書類の迅速確実な取出しにも便利である。
【００１９】
さらに上記のような印刷を伴う袋構造は、片面の袋状シートの他に各葉の両面に袋状シートを形成するにも便利である。
【考案を実施するための最良の形態】
【００２０】
以下図示する本考案の実施形態につき説明すると、図１〜３は本考案の第一実施例を示し、内部にボール紙等の芯材（図示しない）を収容する等の方法により硬質化した長方形又は正方形等の表裏（左右）の表紙１ａ，１ｂを備えたファイル本体１の背１ｃの中央には左右に振り分け配置されるポリプロピレン（ＰＰ）等の透明な合成樹脂フィルムからなる開口部２ａを有する袋状のシート２が超音波，ヒーター等を用いて溶着又は融着等により固着（２ｂ）されている。
【００２１】
この例ではファイル本体１は左右の芯材入り表紙の表面をビニールファイル等で被覆したもので、背１ｃの内面もビニール袋となっており、上記多数の袋状シート２の中央（内端）を重ね合わせた状態で上下方向にヒートシール等によってシート固着部２ｂとして固着している。
【００２２】
表紙１ａの内面側下半部には透明な合成樹脂フィルム等によって矢印方向からの名刺その他のカード類等を収納する大小のポケット３ａ，３ｂ，３ｃが設けられている。同様に表紙１ａの内面側にもマチ付の大型ポケット４ａの他４ｂ，４ｃで示されるポケットが付設されている。
【００２３】
袋状シート２は、この例では各葉の左面側に袋の開口部を有し、開口部２ａはシート２の基端部（シート固着部２ｂ）寄りの位置に形成されており、その断面は図３に示す通り、各葉の開口端側が折返されて連続したシート材となっており、上下端はヒート切断等によって互にヒートシールされて袋状になっている。
【００２４】
また各袋状シート２の開閉端（自由端）側には書類収容時に外側から透視できるようにシート材の折返された内面に表示部６が印刷されている。この印刷はシート材がＰＰ製であるにもかかわらず、印刷インクの定着を確実にするためのコロナ放電処理等を施さずに行われているが、袋状部の内面であるため隣接葉同士や手捲り時の摩擦等により剥がれ落ちることはない。
【００２５】
この表示部６は各葉を十分に識別するために固有なものであり、例えば図示する例では１〜１０葉毎に異なる色が使用されているほか、１〜１０の数字が端部で重ならないように、捲り始めの左端の紙葉（シート２）から捲り終りの右端の紙葉に向って下向き方向順にフラッグ状部６ａ内に中抜き状に印刷表示され且つそのフラッグの内側位置には同色で上下方向の帯状又は線状の表示部６ｂも施されている。
【００２６】
また上記シート２は左右単一のものを１枚のシート材として形成し表示部６を表裏各別に印刷して形成することができる。さらに上記袋状の開口部２ａの端縁部に沿って帯状又は線状の表示部６ｃとして裏面（袋状の内面）に印刷表示することもできる。
【００２７】
図４は本考案の第２実施例を示し、この場合各シート２はシート材２ｄ，２ｅ，２ｆが３重に重ねられているが、その開閉端（自由端）側では、表裏両面のシート材２ｅ，２ｆを自由端（開閉端）側で折返して折畳み、その中間にサンドイッチ状にシート材２ｄを介挿し、その自由端をヒートシール（切断）等によって一体的に溶着（溶着部２ｃ）しており、中間のシート材２ｄの両側に袋状部が形成されている。
【００２８】
図示するシート材２の開口部２ａは、中央（基端部）寄りに設けているが、これを次に述べる図５の場合のように各葉の上端側に設けてもよい。その他の部分は図１〜３の場合と共通であり、符号も共通である。
【００２９】
図５は本考案の第３実施例を示し、この例ではシート２の上方端（天）が袋状部の開口部２ａとなっており、上方から書類等の差込を行う構造となっている。そしてこの場合もシート材の開口部２ａの終端縁にも表示部６ｃが線状又は帯状に印刷表示されている。
【００３０】
図６は同じく第３実施例のシートの断面形状を示し、この例では各シート２の断面内側端が互にシールされている点が図３の場合と異なる。上記の点以外は図１〜３の場合と共通しており、同一符号は同一機能部分を表わす。
【図面の簡単な説明】
【００３１】
【図１】本考案の第１実施例のファイルの全体斜視図である。
【図２】本考案の第１実施例のファイルの中央を開いた状態の平面図である。
【図３】本考案の第１実施例のファイルの左右方向断面図である。
【図４】本考案の第２実施例のファイルの左右方向断面図である。
【図５】本考案の第３実施例のファイルの中央を開いた状態の平面図である。
【図６】本考案の第３実施例のファイルの左右方向断面図である。
【符号の説明】
【００３２】
１    ファイル本体
１ａ，１ｂ  表紙
１ｃ  背
２    シート
２ａ  開口部
２ｂ  固着部
２ｃ  溶着部
２ｄ〜２ｆ  シート材
６（６ａ，６ｂ，６ｃ）    表示部
【図１】
0003139131.tif 000003
【図２】
0003139131.tif 000004
【図３】
0003139131.tif 000005
【図４】
0003139131.tif 000006
【図５】
0003139131.tif 000007
【図６】
0003139131.tif 000008